(57)【要約】      （修正有）【課題】現状の洋室からなる住宅内において、たとえ靴を着用した状態であっても室内に上がることができ、室内を靴を着用した状態で過ごせるように、靴底１を改良して、室内を靴を履いたまま歩いても、床面を疵つけることなく、しかも騒音を立てることのない靴底１を提供する【解決手段】靴底１の底面側から見たように、靴底１は地面との接地面２の部分にのみ布地３を有し、靴底１のつま先４と、土踏まず５と、かかと６と、靴底周辺部には布地３を有しない。この靴底１に有する布地３は靴底１と接着剤などで接着するか、もしくは靴底１と布地３を合成樹脂や合成ゴムの熱有着により強力に接着して形成している。【選択図】図１
0003134891.tif 000002
【実用新案登録請求の範囲】
【請求項１】
靴底１の裏面に繊維類、例えばナイロン、ポリエステルなどの化学繊維からなる生地、あるいは、麻、綿などからなる天然繊維からなる生地などの布地３を熱圧着によりまたは接着剤による接着により有することを特徴とする室内・室外兼用の靴の靴底１。
【請求項２】
布地３はキャンバスを含めその他の生地の厚手の布地３からなることを特徴とする請求項１の手段の室内外兼用の靴の靴底１。
【考案の詳細な説明】
【技術分野】
【０００１】
この考案は、室内・室外で着用を兼用とすることができる靴の靴底１に関し、特に室内で靴を履いた場合に、室内の床面を疵付けることなく、また靴音による騒音を立てなくして室内・室外兼用とした靴の靴底１に関する。
【背景技術】
【０００２】
従来、わが国では、例外的に洋風の建物である場合を除いて、住宅の居間に靴などを履いたままの土足で上がり込む風習はなく、一般に玄関で靴を脱いで居間にあがる。このように住宅内の生活では、スリッパなどの上履きを履く場合があっても、いわゆる履物は着用しない。したがって、一般に靴は土足用であり、庭にでたり、あるいは、通勤や買物やレクリエーションなどで出かけ、路面を歩く場合に靴を着用する。
【０００３】
しかし、近年の住宅の構造は大きく変わり、一般の居住用の住宅であっても畳の敷かれた日本間が全くない住宅が数多く建築されてきている。このような日本間の無い住宅あるいはたとい日本間があっても多くは洋間で過ごす人たちは、多くはスリッパなどの上履きを玄関の上がり口に用意し、室内の上履き用としている。しかし、従来のスリッパは、足の土踏まずから前部の足指部を挿入するようにした形状の甲部を底部の前部に設けているものが殆どである。しかも、スリッパのサイズも、共用のものとしているので、大きく、このようなスリッパでは歩行するときに、非常に脱げ易く、はき続けにくいものである。このために、日常生活では、スリッパは殆ど使用されることなく、玄関の上がり口に置かれているか、あるいはスリッパ立てに立てられたままとなっている。たまに来客があったときなどに使用されるに過ぎない。
【０００４】
一方、ホテルでは、旅館と異なり建物全体が一般に洋式であるので、戸外で着用の靴のままホテル内に上がり込み、室内にもその靴で入るのが普通である。このようなホテルでは、多くの場合に床面は靴のまま歩いても疵がつきにくく、また靴音による騒音が生じないような床面としているものが多い。これに対し、一般の住居である住宅では、独立した住宅であろうとマンションなどの集合住宅であろうと、たとい全ての部屋が洋室からなっていても、靴のままで室内に上がるようには建てられていない。そこで、これらの住宅では、靴のまま室内に入ると靴の硬い靴底１の面で床面を疵つけたり、あるいは、たとい運動靴のように靴底１がゴム底であっても、床面に疵をつけ易く、また床面を歩く靴音の騒音を立てる。そこで靴を履いた状態での生活は、これらの住居には適さなかった。
【０００５】
従来の靴で、住宅の室内で着用するものと屋外で着用するものは見当たらないが、室内用としては老人の福祉施設や介護ホームで運動靴タイプのものが多く散見される。しかし、この靴も室内用と室外用を兼用するものではない。例えば、航空機の室内用や海外のホテルで着用する室内用として、手軽に携帯できるものとして、運動靴タイプの布製の機内履きがあり、この靴底は布製であり、また、さらに布製の靴底の上にゴム底を設けたものである（例えば、特許文献１参照。）。しかし、これは室内および室外の兼用としたものでは無い。
【０００６】
【特許文献１】特開２００１−３２７３０２号公報
【考案の開示】
【考案が解決しようとする課題】
【０００７】
そこで、本考案は、現状の洋室からなる住宅内において、たとえ靴を着用した状態であっても室内に上がることができ、室内を靴を着用した状態で過ごせるように、靴底１を改良して、室内を靴を履いたまま歩いても、床面を疵つけることなく、しかも騒音を立てることのない靴底１を提供することである。
【課題を解決するための手段】
【０００８】
上記の課題を解決するための本考案の手段では、靴底１は、住宅内で履いて室内を歩き回っても、その床面を疵つけることのなく、また靴音による騒音を立てることのないように、靴底１を改良したものである。
【０００９】
すなわち、本考案の請求項１の手段では、靴底１はその裏面に繊維類、例えばナイロン、ポリエステルなどの化学繊維からなる生地、あるいは、麻、綿などからなる天然繊維からなる生地などの布地３を、靴底１の裏面に熱圧着によりまたは接着剤による接着により形成して、有することからなる室内外兼用とする靴の靴底１である。
【００１０】
さらに、請求項２の手段では、上記の布地３はキャンバスを含めその他の生地の厚手の布地３からなる請求項１の手段の室内外兼用の靴の靴底１である。
【００１１】
上記の請求項１の手段あるいは請求項２の手段における靴底１は、靴底１の全面に生地からなる布４を有するものであっても良く、あるいは、土踏まず５の部分や靴底１の裏面の外周の部分などを除いた、靴底１と地面との接地面２の部分にのみ生地からなる布地３を有するものであっても良い。この靴底１を形成する対象の靴は、形状、あるいは男性用や女性用、もしくは大人用や子供用を問うものではなく、全ての靴が対象であり、したがって、ブーツ類、運動シューズ類、サンダル類、その他の一般の靴類にも適用できる。
【考案の効果】
【００１２】
本考案の靴の靴底１は、その裏面に各種の繊維からなる生地の布地３を熱融着してあるいは接着して有するので、住宅内でそのまま上履きとした場合でも、スリッパと異なり、靴のサイズが足のサイズと合っているのではき易く、しかも、住宅内の床面にやさしく当接するので、床面を疵つけることなく、また、仮に木質の反響しやすい床であっても床面との間で騒音を立てることなく、したがって、いちいち靴を脱ぐ手間を省くことができ、しかも、住宅内で着用した状態のままの靴で、戸外に出て路面を歩行することができる。
【００１３】
さらに、この靴底１は底面に布地３を有するので、水に濡れた床面や一般の路面でも、布地３の面で接して水を吸収する。したがって、ゴム面や革面の靴底１のように水の面で滑ることが無い。さらに布地３の生地類にプリント模様でも設けうるので、たとい靴底であってもファッション性に優れた今までに無い模様や配色をすることができるなど、本考案の靴底１は従来にない優れた効果を奏するものである。
【考案を実施するための最良の形態】
【００１４】
本考案の実施の形態を図面を参照して以下に説明する。図１は本考案の靴底１の底面側から見た図である。この実施の形態の靴底１は地面との接地面２の部分にのみ布地３を有する。したがって、この図１の靴底１のつま先４と、土踏まず５と、かかと６と、靴底周辺部７には布地３を有しないものである。図２は図１の靴底１の側面図を示す。これらの布地３は靴底１と接着剤などで接着するか、あるいは靴底１と布地３を合成樹脂や合成ゴムの熱有着により強力に接着するものとする。布地３の厚さは、それぞれ靴の用途に合わせて適宜に定めるものとする。
【００１５】
図３は、かかと６がリフト型かかと６ａとなったハイヒールやサンダルなどの靴の靴底１を示す図である。この図に示す例の場合もリフト型かかと６ａであるので、つま先側の足裏の土踏まず５より前の部分とかかと６の部分に接地面２としてそれぞれ布地３を有するものとしている。
【００１６】
図４は、靴底１の底面側から見た図である。この靴底１は、図１の靴底１と異なり、靴底１の底面の全面に布地３を有するものである。したがって、つま先４の部分、土踏まず５の部分、かかと６の後部や靴底周辺部７の部分にも布地３を接着している。この場合は、靴底１の底面の全面に布地３を有するので、この靴底１を製造する工程は、図１〜図３のものに比して単純化できるので、多少布地３が余分に要るが、製造コストは大幅に削減でき、全体のコストを下げることができる。また、底面の布地３にプリント模様を有するものとするとき、この部分の面積が大きいのでよりファッション性に優れた靴底１とすることができる利点を有する。
【００１７】
一般にケミカル靴などは、靴底１ならば靴底１だけを製造し、甲革部は別途、別の業者が製造し、これらを組み立てるなど分業化しているので、この靴底１は各種の甲革部と組み合せて各種の靴に製造できるなどの利点を有する。また、靴底１の布地３が損耗したとしても、従来の戸外で履く靴の靴底１を有するので、通常の靴として戸外で使用する専用のものとすることができる。
【図面の簡単な説明】
【００１８】
【図１】本考案の接地面のみに布地を有する靴底１の底面側から見た平面図である。
【図２】上記の靴底１の側面図である。
【図３】他の実施例である接地面のみに布地を有する靴底１のリフト型かかと６ａからなるものの側面図である。
【図４】さらに他の実施例である靴底１の全面に布地３を有するものの底面側から見た平面図である。
【符号の説明】
【００１９】
１  靴底
２  接地面
３  布地
４  つま先
５  土踏まず
６  かかと
６ａ  リフト型かかと
７  靴底周辺部
【図１】
0003134891.tif 000003
【図２】
0003134891.tif 000004
【図３】
0003134891.tif 000005
【図４】
0003134891.tif 000006
【手続補正書】
【提出日】平成19年6月25日(2007.6.25)
【手続補正１】
【補正対象書類名】実用新案登録請求の範囲
【補正対象項目名】請求項２
【補正方法】変更
【補正の内容】
【請求項２】
布地３はキャンバスからなることを特徴とする請求項１に記載の室内外兼用の靴の靴底１。